【事件の表示】
　特願２００２−５５２６２４号「サルメテロールキシナホエート用計量式吸入器」拒絶査定不服審判事件〔平成１４年　７月　４日国際公開、ＷＯ０２／５１４８３、平成１６年　７月　８日国内公表、特表２００４−５２０１０７号〕について、次のとおり審決する。
【結　論】
　本件審判の請求は、成り立たない。
【理　由】
Ｉ．手続の経緯  
　本願は、平成１３年１２月２１日（パリ条約による優先権主張　２０００年１２月２２日　英国　２００１年　１１月２９日　英国）を国際出願日とする出願であって、平成２０年９月２６日付けで拒絶査定がなされた。これに対し、平成２１年１月５日に拒絶査定不服審判の請求がなされ、平成２１年２月３日付けで手続補正書が提出されたものである。
　その後、当審において、平成２３年２月２５日付けで平成２１年２月３日付けの手続補正は却下されるとともに同日付けで拒絶理由通知が通知され、これに対し、平成２３年９月１日付けで意見書が提出されたものである。 
 　  
II．本願発明  
　本願の請求項３０に係る発明（以下、「本願発明」という。）は、平成１６年１０月２８日付けの手続補正書により補正された特許請求の範囲の請求項３０に記載された事項により特定される次のとおりのものである。  
「上側および下側シール用ガスケットを有している計量用チャンバーならびにバルブステムを有している計量バルブで封止されたキャニスターを有する、医薬エアロゾル製剤を入れるのに好適な容器であって、前記バルブが首部シール用ガスケットによって前記キャニスターに対して密封されている容器において、少なくとも１個のガスケットが、実質的にEPDMのポリマーから形成され且つ前記計量用チャンバーの表面が前記製剤に対して実質的にフッ素化された表面を提供していることを特徴とする容器。」
 　  
III．当審の拒絶理由 
　一方、当審において平成２３年２月２５日付けで通知した拒絶理由の概要は、本願発明は、本願の優先権主張日前に頒布された特開平１１−３１０５３３号公報に記載された発明、特表平９−５００３００号公報に記載された発明、及び、国際公開第００／５６６３２号に記載された発明に基いて当業者が容易に発明をすることができたものであるから、特許法第２９条第２項の規定により特許を受けることができない、というものである。 
 　 
IV−１．引用刊行物の記載事項  
（１）引用刊行物の記載事項  
　国際出願第００／５６６３２号（以下、「引用刊行物１」という。）には、次の事項が図面とともに記載されている。（訳文は、パテントファミリーである特表２００２−５４００１７号公報の該当記載を援用する。） 
（ア）「According to the present invention there is provided a valve for an aerosol container, the valve comprising a valve body; within said valve body, a sealing ring; and receivable by said sealing ring, a valve stem having a dispensing passage, the valve stem being slidably movable within the sealing ring from a valve-closed position to a valve-open position in which the interior of the valve body is in communication with the dispensing passage, wherein the sealing ring is shaped such as to reduce the contact area between the sealing ring and the valve stem.」（第２頁第５行〜同第１２行）「本発明によれば、エアロゾル容器のためのバルブが提供されるが、当該バルブは、バルブ本体と、前記バルブ本体内のシールリングと、前記シールリングによって受容可能であって投与通路を有するバルブ柄部と、を備え、当該バルブ柄部はシールリング内でバルブ閉位置からバルブ本体の内部が前記投与通路と連通するバルブ開位置まで摺動移動可能であり、前記シールリングは当該シールリングとバルブ柄部との間の接触面積を減らすように成形されている。」 
（イ）「Preferably, the valve is a metering valve in which the valve body has a metering chamber, a sampling chamber and therebetween is provided a second sealing ring within which the stem is slidably movable, the valve stem having a transfer passage such that in the valve-closed position the dispensing passage is isolated from the metering chamber and the metering chamber is in communication with the sampling chamber via said transfer passage, and in the valve-open position the dispensing passage is in communication with the metering chamber and the transfer passage is isolated from the metering chamber, wherein the second sealing ring is shaped such as to reduce the contact area between the second sealing ring and the valve stem.」（第３頁第５行〜同第１４行）「好適には、バルブは、バルブ本体が計測チャンバとサンプリングチャンバと両者の間に設けられた第２シールリング、その中で柄部が摺動移動可能である、とを有する計測バルブであり、バルブ柄部は運搬通路を有しており、バルブ閉位置においては投与通路が計測チャンバから隔離されて計測チャンバは前記運搬通路を介してサンプリングチャンバと連通し、バルブ開位置においては投与通路が計測チャンバと連通して運搬通路が計測チャンバから隔離され、第２シールリングは当該第２シールリングとバルブ柄部との間の接触面積を減らすように成形されている。」 
（ウ）「Preferably the sealing ring and/or second sealing ring comprises an elastomeric material. The ring is typically resiliently deformable.」（第４頁第６行〜同第７行）「好適には、シールリング及び／または第２シールリングは、エラストマ材料を有する。当該リングは、典型的に、弾力的に変形可能である。」 
（エ）「Other suitable elastomers include ethylene propylene diene rubber (EPDM).The EPDM may be present on its own or present as part of a thermoplastic elastomer blend or alloy, e. g. in the form of particles substantially uniformly dispersed in a continuous thermoplastic matrix (e. g. polypropylene or polyethylene). Commercially available thermoplastic elastomer blend and alloys include the SANTOPRENETM elastomers. Other suitable thermoplastic elastomer blends include butyl-polyethylene (e. g. in a ratio ranging between about 2: 3 and about 3: 2) and butyl-polypropylene.」（第５頁第３行〜同第１０行）「他の好適なエラストマ材料は、エチレンプロピレンジエンゴム（ＥＰＤＭ）を含む。ＥＰＤＭは、それ単独で存在し得る、あるいは、熱可塑性エラストマ混合物または合金の一部として、例えば、連続の熱可塑性基材（例えば、ポリプロピレンまたはポリエチレン）中に略均一に分散された粒子の形態で、存在し得る。商業的に入手可能な熱可塑性エラストマ混合物及び合金は、サントプレン（ＳＡＮＴＯＰＲＥＮＥ：商標）エラストマを含む。他の好適な熱可塑性エラストマ混合物は、ブチル−ポリエチレン（例えば、約２：３と約３：２との間の範囲の比）及びブチル−ポリプロピレンを含む。」 
（オ）「A valve according to the invention is shown in Figure 1 and comprises a valve body 1 sealed in a ferrule 2 by means of crimping, the ferrule itself being set on the neck of a container (not shown) with interposition of a gasket 3 in a well- known manner. The container is loadable with a suspension of medicament, such as salmeterol xinafoate in liquid propellant HFA134a.」（第６頁第３０行〜同第３４行）「本発明によるバルブが、図１に示されており、クリンピング（ひだ）によって口輪２内にシールされたバルブ体１を備えている。口輪自体は、公知の態様でのガスケット３の介在により、容器（図示せず）の首部に設置されている。容器は、液体推進剤（高圧ガス）ＨＦＡ１３４ａ内の薬剤、例えばサルメテロールキシナフォエート、の浮遊物で充満している。」 
（カ）「The valve body 1 is formed at its lower part with a metering chamber 4, and its upper part with a sampling chamber 5 which also acts as a housing for a return spring6.　The　wordsupperandlowerare used for the container when it is in a use orientation with the neck of the container and valve at the lower end of the container which corresponds to the orientation of the valve as shown in Figure 1.
Inside the valve body 1 is disposed a valve stem 7, a part 8 of which extends outside the valve through lower stem seal 9 and ferrule 2. The stem part 8 is formed with an inner axial or longitudinal canal 10 opening at the outer end of the stem and in communication with a radial passage 11.
The upper portion of stem 7 has a diameter such that it can pass slidably through an opening in an upper stem seal 12 and will engage the periphery of that opening sufficiently to provide a seal. The stem seals 9 and 12 are made by a moulding process and have rounded points of contact with the valve stem 7.
Upper stem seal 12 is held in position against a step 13 formed in the valve body 1 between the said lower and upper parts by a sleeve 14 which defines the metering chamber 4 between lower stem seal 9 and upper stem seal 12. The valve stem 7 has a passage 15 which, when the stem is in the inoperative position shown, provides a communication between the metering chamber 4 and sampling chamber 5, which itself communicates with the interior of the container via orifice 16 formed in the side of the valve body 1.
Valve stem 7 is biased downwardly to the inoperative position by return spring 6 and is provided with a shoulder 17 which abuts against lower stem seal 9. In the inoperative position as shown in Figure 1 shoulder 17 abuts against lower stem seal 9 and radial passage 11 opens below lower stem seal 9 so that the metering chamber 4 is isolated from canal 10 and suspension inside cannot escape.
A ring 18 having aUshaped cross section extending in a radial direction is disposed around the valve body below orifice 16 so as to form a trough 19 around the valve body. As seen in Figure 1 the ring is formed as a separate component having an inner annular contacting rim of a diameter suitable to provide a friction fit over the upper part of valve body 1, the ring seating against step 13 below the orifice 16. However, the ring 18 may alternatively be formed as an integrally moulded part of valve body 1.」（第７頁第１行〜第８頁第２行）「バルブ体１は、その下方部分において計測チャンバ４を有すると共に、その上方部分において戻りバネ６のためのハウジングとしても働くサンプリングチャンバ５を有するように、形成されている。「上方」及び「下方」という語は、容器の首部及びバルブが容器の下方端にあるという使用姿勢、それは図１に示されたバルブの姿勢に対応する、の時の容器のために使用されている。バルブ体１の内側には、バルブ柄部７が配置されている。その一部８は、下方柄部シール９及び口輪２を通ってバルブの外側に延びている。柄部の一部８は、柄部の外側端において開放すると共に半径方向通路１１と連通する内部の軸方向または長手方向の管路１０を有するように形成されている。
　柄部７の上方部分は、それが上方柄部シール１２内の開口を通って摺動的に通過可能であって当該開口の周縁と係合して十分にシールを提供するような直径、を有している。柄部シール９及び１２は、モールディング（鋳型成形）処理によって作られ、バルブ柄部７との丸められた接触点を有する。上方柄部シール１２は、バルブ体１の前記下方及び上方部分の間に形成された段差１３に対向する位置に、スリーブ１４によって保持されている。スリーブ１４は、下方柄部シール９と上方柄部シール１２との間で計測チャンバ４を規定している。バルブ柄部７は、柄部が図示の非作動位置にある時に計測チャンバ４とサンプリングチャンバ５との間の連通を提供する通路１５、を有している。サンプリングチャンバ５は、それ自身、バルブ体１の側部に形成されたオリフィス１６を介して容器の内部と連通する。
  バルブ柄部７は、戻りバネ６によって、非作動位置に向かう下方に付勢されており、下方柄部シール９に対して当接する肩部１７が設けられている。図１に示された非作動位置では、肩部１７が下方柄部シール９と当接して、半径方向通路１１が下方柄部シール９の下方で開放しており、計測チャンバ４は管路１０から隔離されており、内部の浮遊物は逃れることができない。
　半径方向に延びるＵ型断面を有するリング１８は、オリフィス１６の下方のバルブ体の周りに配置されており、バルブ体の周りに樋部１９を形成している。図１に見られるように、当該リングは、バルブ体１の上方部分上での摩擦適合を提供するのに好適な直径の内方環状接触リムを有する分離した成分として形成されており、当該リングはオリフィス１６の下方の段差１３に対して着座している。しかしながら、当該リング１８は、あるいは、バルブ体１の一体成形部分として形成され得る。」
（キ）「It may be appreciated that any of the parts of the metering valve which contact the medicament suspension may be coated with materials such as fluoropolymer materials which reduce the tendency of medicament to adhere thereto. Suitable fluoropolymers include polytetrafluoroethylene (PTFE) and fluoroethylene propylene (FEP). Any movable parts may also have coatings applied thereto which enhance their desired movement characteristics. Frictional coatings may therefore be applied to enhance frictional contact and lubricants used to reduce frictional contact as necessary.」（第９頁第２９行〜第１０頁第２行）「薬剤浮遊物と接触する計測バルブの任意の部分が、薬剤がそれに付着する傾向を減らすフルオロポリマ材料のような材料で被覆され得る、ということが理解され得る。好適なフルオロポリマは、ポリテトラフルオロエチレン（ＰＴＦＥ）及びフルオロエチレンプロピレン（ＦＥＰ）を含む。任意の移動可能な部分は、それに適用されたコーティングを有し得る。それは、所望の移動特性を高める。摩擦コーティングは、従って、摩擦接触を高めるために適用され得て、潤滑剤は、必要に応じて摩擦接触を減らすために用いられ得る。」 
（ク）「Preferred medicaments are selected from albuterol, salmeterol, fluticasone propionate and beclomethasone dipropionate, and ipratropium bromide and salts or solvates thereof, e. g., the sulphate of albuterol and the xinafoate of salmeterol.」（第１０頁第２９行〜同第３２行）「好ましい薬剤は、アルブテロール（albuterol）、サルメテロール（salmeterol）、フルチカソンプロピオネート（fluticasone propi-onate）、ベクロメタソンジプロピオネート（beclomethasone dipropionate)及びイプラトロピウムブロマイド（ipratropium bromide）及びその塩またはソルベート、例えば、アルブテロールのサルフェイト（sulphate）や、サルメテロールのキシナフォエート（xinafoate）、から選択される。」 
（ケ）上記記載事項（ア）、上記記載事項（イ）、上記記載事項（カ）及びＦＩＧ．１の図示事項より、下方柄部シール９がシールリング、上方柄部シール１２が第２シールリングといえる。
（コ）上記記載事項（ウ）及び上記記載事項（エ）より、シールリング及び第２シールリングがエチレンプロピレンジエンゴム（ＥＰＤＭ）を有するといえる。
（タ）上記記載事項（ア）、上記記載事項（オ）及びＦＩＧ．１の図示事項より、エアロゾル容器が計測バルブであるバルブ１で封止された容器（図示せず）を有し、計測バルブであるバルブ１がガスケット３によって容器（図示せず）に対して密封されているといえる。なお、以下では、「容器（図示せず）」を、エアロゾル容器と区別するために便宜上「容器本体」という。
　
　上記記載事項及び図示内容を総合すると、引用刊行物１には、次の発明（以下、「引用発明」という。） が記載されている。 
　「上方柄部シール１２及び下方柄部シール９を有している計測チャンバ４ならびにバルブ柄部７を有している計測バルブ１で封止された容器本体を有する、液体推進剤内の薬剤の浮遊物で充満したエアロゾル容器であって、前記計測バルブ１がガスケット３によって容器本体に対して密封されているエアロゾル容器において、前記下方柄部シール９及び上方柄部シール１２がエチレンプロピレンジエンゴム（ＥＰＤＭ）を有し、前記計測バルブ１の薬剤浮遊物と接触する任意の部分が、薬剤がそれに付着する傾向を減らすフルオロポリマ材料のような材料で被覆されるエアロゾル容器。」 
 　 
　本願の優先権主張日前に頒布された特開平１１−３１０５３３号公報（以下、「引用刊行物２」という。）には、次の事項が図面とともに記載されている。 
（チ）「・・・
【請求項２】　二プロピオン酸ベクロメタゾン及びその生理学的に許容される溶媒化合物からなる群から選択された粒状薬剤と、噴射剤としての１，１，１，２−テトラフルオロエタン、１，１，１，２，３，３，３−ヘプタフルオロ−ｎ−プロパン又はそれらの混合物とから成り、実質的に界面活性剤を含まない、呼吸器疾患治療用医薬エアゾール製剤。 
・・・
【請求項８】　特定した粒状薬剤に加えてそれ以外の吸入療法に使用する適当な薬剤を存在させた請求項１に記載の製剤。 
・・・
【請求項１０】　二プロピオン酸ベクロメタゾンとサルメテロールキシナホエートとを含む請求項８に記載の製剤。 
【請求項１１】　使用する噴射剤の蒸気圧に耐えることができる容器を含む医薬エアゾール製剤を排出するのに適したカニスターであって、前記容器が、計量弁で密閉されており、かつ請求項１〜１０のいずれかに記載した医薬エアゾール製剤を含むカニスター。・・・」（特許請求の範囲） 
（ツ）「本発明者等は、驚くべきことに、これらの教示とは逆に、組成物に界面活性剤や補助溶媒を使用することなく、又は噴射剤に分散する前に薬剤を予備処理したりすることなく、ある種の薬剤を１，１，１，２−テトラフルオロエタンのような水素含有フルオロカーボン噴射剤に満足に分散することができることを見出した。より具体的には、薬剤を二プロピオン酸ベクロメタゾン並びにその生理学的に許容される溶媒化合物から選択する場合に満足の行く分散液を得ることができる。」（段落【０００４】） 
（テ）「さらに、本発明の製剤は、用いる噴射剤よりも極性が高い液体成分を実質的に含まないことが望ましい。極性は、例えば、ヨーロッパ特許出願第０３２７７７７号に記載されている方法により測定できる。特に、エタノール等のアルコール類を実質的に含まない製剤が好ましい。ここで、「実質的に含まない」とは、水素含有フルオロカーボンに対して１％（ｗ／ｗ）未満、特に０．５％未満、例えば０．１％未満であることを意味する。」（段落【００１１】） 
（ト）「好ましい製剤例には、二プロピオン酸ベクロメタゾン及びそれらの生理学的に許容される溶媒化合物をサルブタモール（例えば遊離塩基または硫酸塩として）又はサルメテロール（例えばキシナホエート塩として）と組み合わせ使用する場合が含まれる。とりわけ二プロピオン酸ベクロメタゾンとサルブタモール又はその硫酸塩又はサルメテロールキシナホエートとの組み合わせが好ましい。 
　本発明による製剤は、適当な容器内において選択された噴射剤に、薬剤を、例えば、音波処理を補助手段として分散することにより調製することができる。この方法は、無水条件下で行い、水分が懸濁安定性に悪影響を及ぼすのを排除することが望ましい。 
 　本発明による製剤は、放置すると弱く凝集した懸濁液を形成するが、驚くべきことに、これらの懸濁液は、穏やかに撹拌することにより容易に再分散して、長期保存後でさえ加圧吸入器に使用するのに適当な優れた排出特性を示すものであることが判明した。本発明によるエアゾール製剤において製剤添加剤、例えば、界面活性剤、補助溶剤等の使用を避けるのが有益である。なぜなら、そのようにすることにより、本発明による製剤は、実質的に無味無臭で、従来の製剤よりも刺激が少なくかつ毒性が少なくすることができるからである。」（段落【００１３】〜【００１５】） 
（サ）「本発明による製剤は、医薬エアゾール製剤を排出するのに適当なカニスターに充填することができる。カニスターは、一般的に使用される噴射剤の蒸気圧に耐えることができる容器たとえばプラスチック若しくはプラスチック被覆ガラス瓶または好ましくは金属缶たとえば必要に応じて陽極酸化、ラッカー被覆および／またはプラスチック被覆したアルミニウム缶等からなり、この容器は、計量バルブで密封される。計量バルブは、作動１回当たり計量された量の製剤が排出されるように構成されており、ガスケットを組み込んで、バルブを通って噴射剤が漏れるのを防止している。ガスケットは、例えば、低密度ポリエチレン、クロロブチル、白黒ブタジエン／アクリロニトリルゴム、ブチルゴムおよびネオプレン等のような適当な弾性材料からなることができる。適当なバルブとしては、エアゾール工業においてよく知られているメーカー、例えば、フランスのValois(例えば、ＤＦ１０、ＤＦ３０、ＤＦ６０）、英国のBespak plc（例えば、ＢＫ３００、ＢＫ３５６）および英国の３Ｍ−Neotechnic Ltd.（例えば、Spraymiser)から市販されているものがある。」（段落【００２０】） 
 　 
 　以上の記載事項及び図面の図示内容からみて、引用刊行物２には、次の発明が記載されていると認められる。 
 「呼吸器疾患治療用医薬エアゾール製剤を含む、計量バルブで密封されるカニスターであって、  
 前記計量バルブが、適当な弾性材料からなるガスケットを組み込んでバルブを通って噴射剤が漏れるのを防止している計量バルブで密封されるカニスター。」 
　
IV．対比・判断  
　本願発明と引用発明とを対比すると、その構造または機能からみて、引用発明の「上方柄部シール１２及び下方柄部シール９」は本願発明の「上側および下側シール用ガスケット」に相当し、以下同様に、「計測チャンバ４」は「計量用チャンバー」に、「計測バルブ１」は「計量バルブ」に、「バルブ柄部７」は「バルブステム」に、「液体推進剤内の薬剤の浮遊物」は「医薬エアロゾル製剤」に、「エアロゾル容器」は「容器」に、「液体推進剤内の薬剤の浮遊物で充満したエアロゾル容器」は「医薬エアロゾル製剤を入れるのに好適な容器」に、「ガスケット３」は「首部シール用ガスケット」に、「前記下方柄部シール９及び上方柄部シール１２が」は「少なくとも１個のガスケット」に、及び「前記下方柄部シール９及び上方柄部シール１２がエチレンプロピレンジエンゴム（ＥＰＤＭ）を有し」は「少なくとも１個のガスケットが、実質的にEPDMのポリマーから形成され」に、それぞれ相当する。  
　また、引用発明の「計測バルブ１で封止された容器本体を有する」と本願発明との「計量バルブで封止されたキャニスターを有する」とは、「計量バルブで封止された容器本体を有する」という概念で共通する。 
　また、引用発明の「前記計測バルブ１がガスケット３によって容器本体に対して密封されている」と本願発明との「前記バルブが首部シール用ガスケットによって前記キャニスターに対して密封されている」とは、「前記バルブが首部シール用ガスケットによって前記容器本体に対して密封されている」という概念で共通する。 
　また、引用発明の「前記計測バルブ１の薬剤浮遊物と接触する任意の部分が、薬剤がそれに付着する傾向を減らすフルオロポリマ材料のような材料で被覆される」と本願発明との「前記計量用チャンバーの表面が前記製剤に対して実質的にフッ素化された表面を提供している」とは、「前記計量バルブの一部の表面が前記製剤に対して実質的にフッ素化された表面を提供している」という概念で共通する。　 
　
　そこで、本願発明の用語を用いて記載すると、両者は、  
 「上側および下側シール用ガスケットを有している計量用チャンバーならびにバルブステムを有している計量バルブで封止された容器本体を有する、医薬エアロゾル製剤を入れるのに好適な容器であって、前記バルブが首部シール用ガスケットによって前記容器本体に対して密封されている容器において、少なくとも１個のガスケットが、実質的にEPDMのポリマーから形成され且つ前記計量バルブの一部の表面が前記製剤に対して実質的にフッ素化された表面を提供していることを特徴とする容器。」である点で一致しており、次の点で相違する。  
 　  
　相違点１：本願発明においては、容器がキャニスターを有するのに対し、引用発明においてエアロゾル容器がキャニスターを有するかどうか不明な点。  
　相違点２：実質的にフッ素化された表面が、本願発明は、「計量用チャンバーの表面」であるのに対して、引用発明は、「計測バルブ１の薬剤浮遊物と接触する任意の部分」である点。 
 　 
　そこで、上記相違点について検討する。 
 （相違点１について） 
　引用刊行物２に記載された発明の「カニスター」は「キャニスター」といえるから、引用刊行物２に記載された発明は、キャニスターを有し、かつ引用発明と引用刊行物２に記載された発明とはエアロゾル容器という同一の技術分野に属するから、引用刊行物２に記載された発明を引用発明に適用して相違点１に係る本願発明の特定事項とすることは当業者が容易に想到し得ることである。  
 （相違点２について） 
　引用発明の、計測バルブ１（計量バルブ）は計測チャンバ４（計量用チャンバー）を含むので、実質的にフッ素化される表面として、計測バルブ１（計量バルブ）の薬剤浮遊物と接触する任意の部分を計測チャンバ４（計量用チャンバー）の表面とする点に格別の困難性はない。　
 　 
　そして、本願発明による効果も、引用発明及び引用刊行物２に記載された発明から当業者が予測し得る範囲のものである。  
 　   　
　したがって、本願発明は、引用発明及び引用刊行物２に記載された発明に基いて、当業者が容易に発明をすることができたものである。
　
　なお、審判請求人は、平成２３年９月１日付け意見書において、「よって、本願の請求項１と、同様の特徴を有する請求項３０、及びそれらに従属する請求項２〜２９及び３１〜４２に係る発明は、各引用文献に対し進歩性を有しているものと思料する。」　と主張する。
　しかしながら、請求項３０には、請求項１に記載されている製剤及び液化推進剤ガスの特定事項が記載されておらず、請求項３０に係る発明は、請求項１に係る発明と同様の特徴を有するものではないから、請求人の主張は、採用できない。
 　  
Ｖ．むすび  
　以上のとおり、本願発明は、引用発明及び引用刊行物２に記載された発明に基いて、当業者が容易に発明をすることができたものであるから、特許法第２９条第２項の規定により、特許を受けることができない。  
 　よって、結論のとおり審決する。